(57)【要約】      （修正有）【課題】ラケットガット張り機のストリングクランプ定位構造の提供。【解決手段】コントローラーはピボット、接続台、及びノブから構成され、当該ノブの底部に栓孔、当該スライド台にピボット穴が設けられている。当該シートピラーを当該ピボット穴に挿入させ、その内部には定位栓及びプッシュスプリングが設置され、当該定位栓は円柱及び挿入栓の組み合わせで構成され、当該円柱は当該シートピラーの内に、当該挿入栓は当該挿入スロットに設置されることにより、当該ノブを制御する。当該コントローラーはさらに解除ボタン及び立て軸を含み、当該解除ボタンは当該ノブに設置され、当該立て軸の一端は当該解除ボタンと接続され、もう一端は当該栓孔までに伸ばす。これにより、当該解除ボタンを押すと、当該挿入栓を当該栓孔から退出させ、当該ストリングクランプの定位を解除する操作をより便利にしたものである。【選択図】図６
0003134246.tif 000002
【実用新案登録請求の範囲】
【請求項１】
スライド台、定位装置、コントローラー及びレールブロックを包括し、当該レールブロックはガット張り機の台座の上面に設置され、ガイドスロットを貫通し、当該スライド台は当該レールブロックの上面に設置され、スライド台をガイドスロットに沿ってスライド移動させ、当該定位装置は当該スライド台に設置され、当該スライド台には一本のシートピラーが立てられ、ストリングクランプを当該シートピラーに挿入させ、当該コントローラーは定位装置とシートピラーとの間に設置され、ストリングクランプを定位させるもので、
コントローラーはピボット、接続台、及びノブから構成され、当該接続台は当該スライド台に嵌め込まれ、当該ピボットは当該接続台及び当該ノブと接続され、当該接続台の上面には環状スロットがあり、当該スロット内にはトーションスプリングが設置され、当該トーションスプリングの両端はそれぞれ当該スライド台と当該ノブと互いに接続され、当該ノブの弾性復帰のために用いられ、
当該ノブの底部には栓孔、当該スライド台にはピボット穴が設けられ、当該シートピラーはカバー部及び嵌合部を備え、当該嵌合部はピボット穴に挿入し、当該カバー部の底部は当該スライド台の上面と互いに接し、当該シートピラーを定位させるもので、嵌合部の内部には定位栓及びプッシュスプリングが設置され、当該プッシュスプリングは当該定位栓を押し付け、当該定位栓に軸方向に沿った往復動作をさせるもので、当該シートピラーの当該嵌合部の管壁にはグルーブが設けられ、スライド台には当該ピボット穴と側面方向に連通し、且つ当該ノブの底部までに伸ばしている挿入スロットが設けられ、当該定位栓は円柱及び挿入栓から構成され、当該円柱は当該嵌合部に、当該挿入栓は当該挿入スロットに設置され、且つ当該円柱と当該挿入栓はグルーブの連結部に嵌め込まれ互いに一体に連なり、当該挿入栓が当該栓孔に嵌め込まれることで、当該ノブに対する制御を形成し、これにより当該ノブの思いがけない回転を防止し、ストリングクランプの定位の信頼性アップするもので、
コントローラーはさらに解除ボタン及び立て軸を含み、当該解除ボタンは当該ノブに設置されて当該栓孔と相対し、当該立て軸の一端は解除ボタンとネジで接続され、別の一端のピボット軸は当該ノブを貫通して当該栓孔までに伸ばし、この仕組みにより、当該解除ボタンを押すと当該立て軸が当該挿入栓を押し付け、それを当該栓孔から退出させ、当該定位栓の当該ノブに対する制御を解除し、当該ストリングクランプの定位解除操作の便利さを高めるものであることを特徴とするラケットガット張り機のストリングクランプ定位構造。
【請求項２】
当該解除ボタンの底部と当該ノブの間に支持スプリングが設置され、当該解除ボタンの定位を補助することを特徴とする請求項１記載のラケットガット張り機のストリングクランプ定位構造。
【請求項３】
当該支持スプリングの両端が軸方向にそれぞれ当該ノブと当該解除ボタンを接触していることを特徴とする請求項２記載のラケットガット張り機のストリングクランプ定位構造。
【請求項４】
当該ノブの上面には嵌め込みスロットがあり、当該解除ボタンは当該嵌め込みスロットに嵌め込むことを特徴とする請求項１記載のラケットガット張り機のストリングクランプ定位構造。
【請求項５】
当該立て軸の底部が拡張してボルトヘッドを形成し、当該ボルトヘッドで挿入栓に接触し押し付ける請求項１記載のラケットガット張り機のストリングクランプ定位構造。
【考案の詳細な説明】
【技術分野】
【０００１】
本考案はラケットガット張り機の部品に関するもので、詳しく言えば、特に一種ラケットガット張り機のストリングクランプ定位構造したものを指す。ノブの部分に設置された解除ボタンで挿入栓を動かすことでストリングクランプの定位を解除でき、ストリングクランプの定位解除の操作をより便利にしたものである。
【背景技術】
【０００２】
従来のラケットガット張り機のストリングクランプの定位構造は、おおむね図１の示す通りで、本体（１１）、錐形ブロック（１２）、軸台（１３）、ノブ（１４）、スライドブロック（１５）を含む。その中に、本体（１１）には錐形の穴（１１１）、ノブ穴（１１２）及び上方に伸ばすスリーブ（１１３）が設置されている。錐形ブロック（１２）は錐形の穴（１１１）に設けられ、錐形ブロック（１２）の底部にはバンプ（１２１）及びストッパー（１２２）が設置され、ガット張り機の回転盤にあるスライドレール（１９）を挟むために用いられる。そして、当該スリーブ（１１３）にストリングクランプ（図未表示）を挿入させることで、ストリングクランプを定位できる。軸台（１３）はノブ穴（１１２）に設置され、その軸心には軸ロッド（１３１）が設置されている。当該軸ロッド（１３１）は偏心部（１３２）を備え、軸台（１３）には偏心部（１３２）に対応するノッチ（１３３）が設けられている。ノブ（１４）は軸ロッド（１３１）のトップに設置され、軸ロッド（１３１）を転動させるために用いられる。錐形の穴（１１１）とノブ穴（１１２）との間には貫通するスライドスロット（１１４）が設けられ、スライドブロック（１５）はスライドスロット（１１４）の内に設置されている。スライドブロック（１５）のノブ穴（１１２）に対応する一端にはゆるみ止めスクリュー（１５１）が設けられ、当該軸ロッド（１３１）の偏心部（１３２）への抵抗を与える。且つ、緩み止めスクリュー（１５１）と偏心部（１３２）の接触する面を覆うキャップカバー（１５２）がある。また、スライドブロック（１５）のもう一端には錐形ブロック（１２）に合わせる斜面（１５３）を備え、錐形ブロック（１２）の面への抵抗を与える。
【０００３】
ストリングクランプがずれないように本体（１１）を定位する場合は、ノブ（１４）を回転し、偏心部（１３２）にゆるみ止めスクリュー（１５１）を押し付けさせれば、スライドブロック（１５）は平行に移動する。同時に、その斜面（１５３）が錐形ブロック（１２）に対し上方に押し付ける作用を形成したため、錐形ブロック（１２）の底部のストッパー（１２２）も上方へ移動され、回転盤のスライドレールの底部に対する抵抗作用を形成した。これで本体（１１）は回転や移動できないように定位され、ストリングクランプの定位に用いられる。本体（１１）の定位を解除したい場合は、ノブ（１４）を反対方向に回転する。ノブ（１４）の内部にはトーションスプリング（１４１）が設置されたため、この場合、ノブ（１４）は急速に反対方向に回転して元の位置に復帰し、軸ロッド（１３１）の偏心部（１３２）もゆるみ防止スクリュー（１５１）に抵抗を与えることはなく、ストッパー（１２２）がスライドレール底部に対する抵抗作用を解除できたわけである。こうすると、錐形ブロック（１２）は自身の重さにより落下し、本体（１１）は自由に回転、またスライドレールに沿ってスライド移動できるようになり、ストリングクランプの定位を調節する目的を達成する。
【０００４】
周知のストリングクランプの定位構造は、軸ロッド（１３１）の偏心部（１３２）とそれに相対するスライドブロック（１５）で構成される。この構造でスライドブロック（１５）を錐形ブロック（１２）に押し付けさせ、更にはストッパー（１２２）をスライドレールに抵抗させることで、本体（１１）を定位させてストリングクランプを定位する目的を達成させる。しかし、ノブ（１４）を回転し、本体（１１）を定位されているロック状態にすると、ガット張り作業の進行中に人や工具が誤ってノブ（１４）にぶつかる状況が容易に発生する。この場合、ノブ（１４）自身に効果的な定位設計が欠如し、加えてトーションスプリング（１４１）の弾力及び錐形ブロック（１２）がスライドブロック（１５）の抵抗作用に対する反作用力があるため、ノブ（１４）は非常に簡単に反対方向へ回転し、本体（１１）のロック状態は思いがけずに解除されることになり、ストリングクランプの定位の信頼性が不足に見える。
【０００５】
周知のストリングクランプの定位の信頼性が不足という問題を解決するため、考案者は以前、特許文献１は「ラケットガット張り機のストリングクランプ定位構造」を完成した、図２から図４を参照してください。特許文献１はスライド台（２１）、定位装置（２２）、コントローラー（２３）及びレールブロック（２４）を含む。その中に、当該レールブロック（２４）には軸方向に沿って貫通したガイドスロット（２４２）が設置され、当該スライド台（２１）は当該レールブロック（２４）の上面に設置され、当該ガイドスロット（２４２）に沿ってスライド移動することができる。当該定位装置（２２）は当該スライド台（２１）の一端に設置され、スライド台（２１）の別の一端には一本のシートピラー（２１１）が立てられ、ストリングクランプ（２８）の支軸（２８２）の挿入定位に用いられる。当該コントローラー（２３）は当該定位装置（２２）と当該シートピラー（２１１）との間に設置され、当該ストリングクランプ（２８）の定位に用いられる。
【０００６】
当該コントローラー（２３）はピボット（２３１）、接続台（２３２）及びノブ（２３３）から構成されている。当該接続台（２３２）は当該スライド台（２１）に嵌め込まれ、当該ピボット（２３１）は当該接続台（２３２）及び当該ノブ（２３３）と接続されている。当該接続台（２３２）にはトーションスプリング（２３４）が設置され、トーションスプリング（２３４）のバネの両端はそれぞれスライド台（２１）と当該ノブ（２３３）と接続され、その弾力性で当該ノブ（２３３）を復帰させる。
【０００７】
当該ノブ（２３３）の底部には栓孔（２３３４）、当該スライド台（２１）にはピボット穴（２１６）が設けられている。シートピラー（２１１）はカバー部（２１１２）と嵌合部（２１１４）を備え、嵌合部（２１１４）は当該ピボット穴（２１６）に挿入され、当該カバー部（２１１２）の底部は当該スライド台（２１）の上面と互いに接し、当該シートピラー（２１１）を定位させるものである。当該嵌合部（２１１４）内部には定位栓（２１７）及びプッシュスプリング（２１８）が設置されている。当該プッシュスプリング（２１８）は当該定位栓（２１７）に押し付け、当該定位栓（２１７）に軸方向に沿った往復動作をさせるものである。当該シートピラー（２１１）の当該嵌合部（２１１４）にはグルーブ（２１１５）が設けられ、スライド台（２１）にはピボット穴（２１６）と側面方向に連通し、且つノブ（２３３）の底部までに伸ばしている挿入スロット（２１９）が設けられる。当該定位栓（２１７）は円柱（２１７２）及び挿入栓（２１７４）から構成され、当該円柱（２１７２）は当該嵌合部（２１１４）に設置され、当該挿入栓（２１７４）は当該挿入スロット（２１９）に設置され、且つ当該円柱（２１７２）と当該挿入栓（２１７４）は当該グルーブ（２１１５）に嵌め込まれる連結部（２１７３）で一体に連なる。これにより、当該挿入栓（２１７４）を当該栓孔（２３３４）に嵌め込むことで当該ノブ（２３３）に対する制御を形成でき、当該ノブ（２３３）が思いがけずに回転するのを効果的に防止し、ストリングクランプの定位の信頼性をアップしたわけである。
【０００８】
特許文献１を利用してストリングクランプを定位した後、当該ストリングクランプ（２８）の定位の調節や変動をしたい場合では、当該ストリングクランプ（２８）がガット張り機の挟んだ状態を解除することで、当該ストリングクランプ（２８）の重力で当該支軸（２８２）に円柱（２１７２）を押し付けさせ、当該定位栓（２１７）を下へ移動させ、当該定位栓（２１７）が当該ノブ（２３３）に対する制御作用を解除する。そして、当該トーションスプリング（２３４）の弾力性により、当該ノブ（２３３）と当該ピボット（２３１）を回転させることで復帰させる。こうしてストッパー（２２２）の当該レールブロック（２４）に対する抵抗作用は解除され、当該スライド台（２１）を回転させ、移動させることができるようになり、当該ストリングクランプ（２８）の定位の調節、変更の目的を達成したわけである。しかし、当該ストリングクランプ（２８）の互いに相対する２つの挟み面には通常凹凸の溝が形成されており、これにより当該ストリングクランプ（２８）のガットに対するホールド力を高める。そうすると、当該ストリングクランプ（２８）を操作する時、ガットがストリングクランプ（２８）の挟み面の溝に引っかかることがあるため、当該ストリングクランプ（２８）は自身の重力で自然落下できず、当該定位栓（２１７）の当該ノブ（２３３）に対する制御状態を解除できなくなり、定位解除時の操作の不便さをもたらす。
【０００９】
【特許文献１】台湾特許第Ｍ２９７２６０号明細書
【考案の開示】
【考案が解決しようとする課題】
【００１０】
本考案の主な目的は、ラケットガット張り機のストリングクランプ定位構造において、解除ボタンが挿入栓を押し付けることにより、ストリングクランプの定位を解除し、ストリングクランプの定位解除の操作方法の便利性を高めたものを提供することである。
【００１１】
本考案はラケットガット張り機のストリングクランプ定位構造を改良したもので、スライド台、定位装置、コントローラー及びレールブロックを包括する。その中に、当該レールブロックはガット張り機の上に設置され、ガイドスロットを貫通している。当該スライド台は当該レールブロックの上に設置され、当該スライド台を当該ガイドスロットに沿ってスライドできるようにさせる。当該定位装置は当該スライド台に設置され、当該スライド台には一本のシートピラーが立てられ、ストリングクランプを当該シートピラーに挿入させる。当該コントローラーは当該定位装置と当該シートピラーとの間に設置され、ストリングクランプを定位させるものである。
【００１２】
当該コントローラーはピボット、接続台、及びノブから構成され、当該接続台は当該スライド台に嵌め込まれ、当該ピボットは当該接続台及び当該ノブと接続される。当該接続台の上面には環状スロットがあり、当該スロット内にトーションスプリングが設置されている。当該トーションスプリングの両端はそれぞれ当該スライド台と当該ノブに接することで、当該ノブの弾性復帰のために用いられているものである。
【００１３】
当該ノブの底部には栓孔、当該スライド台にはピボット穴が設けられている。シートピラーはカバー部及び嵌合部を備えている。当該嵌合部は当該ピボット穴に挿入し、当該カバーの底部は当該スライド台の上面と互いに接し、当該シートピラーを定位させるものである。当該嵌合部内部に定位栓及びプッシュスプリングが設置され、当該プッシュスプリングは当該定位栓を押し付けることで、定位栓を軸方向に沿った往復動作させるものである。当該シートピラーの嵌合部の管壁にはグルーブが設けられ、当該スライド台には当該ピボット穴と側面方向に連通し、且つ当該ノブの底部までに伸ばしている挿入スロットが設けられる。当該定位栓は円柱及び挿入栓から構成され、当該円柱は嵌合部に設置され、当該挿入栓は挿入スロットに設置され、且つ当該円柱と当該挿入栓は当該グルーブの連結部に嵌め込まれることで互いに一体に連なる。当該挿入栓が当該栓孔に嵌め込まれることで、当該ノブに対する制御を形成する。これで当該ノブの思いがけない回転を防止し、ストリングクランプの定位の信頼性をアップしたわけである。
【００１４】
コントローラーはさらに解除ボタン及び立て軸を含み、当該解除ボタンは当該ノブに設置され、当該栓孔と相対する。当該立て軸の一端は当該解除ボタンとネジで接続され、別の一端のピボット軸は当該ノブを貫通して当該栓孔までに伸ばしている。これにより、当該解除ボタンを押せば、当該立て軸が当該挿入栓を押し付けて当該栓孔から退出させ、当該定位栓の当該ノブに対する制御を解除し、当該ストリングクランプの定位解除操作の便利さを高めるものである。
【課題を解決するための手段】
【００１５】
請求項１の考案は、スライド台、定位装置、コントローラー及びレールブロックを包括し、当該レールブロックはガット張り機の台座の上面に設置され、ガイドスロットを貫通し、当該スライド台は当該レールブロックの上面に設置され、スライド台をガイドスロットに沿ってスライド移動させ、当該定位装置は当該スライド台に設置され、当該スライド台には一本のシートピラーが立てられ、ストリングクランプを当該シートピラーに挿入させ、当該コントローラーは定位装置とシートピラーとの間に設置され、ストリングクランプを定位させるもので、
コントローラーはピボット、接続台、及びノブから構成され、当該接続台は当該スライド台に嵌め込まれ、当該ピボットは当該接続台及び当該ノブと接続され、当該接続台の上面には環状スロットがあり、当該スロット内にはトーションスプリングが設置され、当該トーションスプリングの両端はそれぞれ当該スライド台と当該ノブと互いに接続され、当該ノブの弾性復帰のために用いられ、
当該ノブの底部には栓孔、当該スライド台にはピボット穴が設けられ、当該シートピラーはカバー部及び嵌合部を備え、当該嵌合部はピボット穴に挿入し、当該カバー部の底部は当該スライド台の上面と互いに接し、当該シートピラーを定位させるもので、嵌合部の内部には定位栓及びプッシュスプリングが設置され、当該プッシュスプリングは当該定位栓を押し付け、当該定位栓に軸方向に沿った往復動作をさせるもので、当該シートピラーの当該嵌合部の管壁にはグルーブが設けられ、スライド台には当該ピボット穴と側面方向に連通し、且つ当該ノブの底部までに伸ばしている挿入スロットが設けられ、当該定位栓は円柱及び挿入栓から構成され、当該円柱は当該嵌合部に、当該挿入栓は当該挿入スロットに設置され、且つ当該円柱と当該挿入栓はグルーブの連結部に嵌め込まれ互いに一体に連なり、当該挿入栓が当該栓孔に嵌め込まれることで、当該ノブに対する制御を形成し、これにより当該ノブの思いがけない回転を防止し、ストリングクランプの定位の信頼性アップするもので、
コントローラーはさらに解除ボタン及び立て軸を含み、当該解除ボタンは当該ノブに設置されて当該栓孔と相対し、当該立て軸の一端は解除ボタンとネジで接続され、別の一端のピボット軸は当該ノブを貫通して当該栓孔までに伸ばし、この仕組みにより、当該解除ボタンを押すと当該立て軸が当該挿入栓を押し付け、それを当該栓孔から退出させ、当該定位栓の当該ノブに対する制御を解除し、当該ストリングクランプの定位解除操作の便利さを高めるものであることを特徴とするラケットガット張り機のストリングクランプ定位構造としている。
請求項２の考案は、当該解除ボタンの底部と当該ノブの間に支持スプリングが設置され、当該解除ボタンの定位を補助することを特徴とする請求項１記載のラケットガット張り機のストリングクランプ定位構造としている。
請求項３の考案は、当該支持スプリングの両端が軸方向にそれぞれ当該ノブと当該解除ボタンを接触していることを特徴とする請求項２記載のラケットガット張り機のストリングクランプ定位構造としている。
請求項４の考案は、当該ノブの上面には嵌め込みスロットがあり、当該解除ボタンは当該嵌め込みスロットに嵌め込むことを特徴とする請求項１記載のラケットガット張り機のストリングクランプ定位構造としている。
請求項５の考案は、当該立て軸の底部が拡張してボルトヘッドを形成し、当該ボルトヘッドで挿入栓に接触し押し付ける請求項１記載のラケットガット張り機のストリングクランプ定位構造としている。
【考案の効果】
【００１６】
本考案のラケットガット張り機のストリングクランプ定位構造は解除ボタンが挿入栓を押し付けることにより、ストリングクランプの定位を解除し、ストリングクランプの定位解除の操作方法の便利性を高めたものを提供することである。
【考案を実施するための最良の形態】
【００１７】
図５、図６、図７を参照してください。本考案のラケットガット張り機のストリングクランプの定位構造の実施例は、スライド台（３１）、定位装置（３２）、コントローラー（３３）及び一レールブロック（３４）を包括する。その中に、当該レールブロック（３４）には軸方向に沿って貫通しているガイドスロット（３４２）が設けられている。当該スライド台（３１）は当該レールブロック（３４）の上面に設置され、当該ガイドスロット（３４２）に沿ってスライド移動できる。当該定位装置（３２）はスライド台（３１）の一端に設置されている。スライド台（３１）の別の一端には一シートピラー（３１１）が立てられ、ストリングクランプ（３８）の支軸（３８２）の挿入定位に用いられている。当該コントローラー（３３）は当該定位装置（３２）と当該シートピラー（３１１）との間に設置され、ストリングクランプ（３８）を定位させるものである。
【００１８】
コントローラー（３３）はピボット（３３１）、接続台（３３２）、及びノブ（３３３）から構成され、当該接続台（３３２）は当該スライド台（３１）に嵌め込まれ、当該ピボット（３３１）は当該接続台（３３２）及び当該ノブ（３３３）と接続される。当該接続台（３３２）にはトーションスプリング（３３４）が設置され、当該トーションスプリング（３３４）のバネの両端はそれぞれ当該スライド台（３１）と当該ノブ（３３３）に互いに接し、当該ノブ（３３３）の弾性復帰のために用いられているものである。
【００１９】
当該ノブ（３３３）の底部には栓孔（３３３４）、当該スライド台（３１）にはピボット穴（３１６）が設けられている。当該シートピラー（３１１）はカバー部（３１１２）及び嵌合部（３１１４）を備え、当該嵌合部（３１１４）を当該ピボット穴（３１６）に挿入し、当該カバー部（３１１２）の底部は当該スライド台（３１）の上面と互いに接し、シートピラー（３１１）の定位のために用いられている。当該嵌合部（３１１４）の内部には定位栓（３１７）及びプッシュスプリング（３１８）が設置され、当該プッシュスプリング（３１８）は当該定位栓（３１７）に押し付けることで、定位栓（３１７）に軸方向に沿った往復動作をさせるものである。シートピラー（３１１）の嵌合部（３１１４）の管壁にはグルーブ（３１１５）が設けられている。当該スライド台（３１）には当該ピボット穴（３１６）と側面方向に連通し、且つ当該ノブ（３３３）の底部までに伸ばしている挿入スロット（３１９）が設けられる。当該定位栓（３１７）は円柱（３１７２）及び挿入栓（３１７４）から構成され、当該円柱（３１７２）は当該嵌合部（３１１４）に設置され、当該挿入栓（３１７４）は当該挿入スロット（３１９）に設置され、且つ当該円柱（３１７２）と当該挿入栓（３１７４）は当該グルーブ（３１１５）の連結部（３１７３）に嵌め込まれて一体に連なる。これにより、挿入栓（３１７４）は栓孔（３３３４）に嵌め込まれ、当該ノブ（３３３）に対する制御を形成することができ、当該ノブ（３３３）が思いがけずに回転するのを効果的に防止し、ストリングクランプ定位の信頼性したわけである。  
【００２０】
コントローラー（３３）は解除ボタン（３３６）、及び立て軸（３３８）を含み、当該解除ボタン（３３６）は当該ノブ（３３３）に設置され、当該栓孔（３３３４）と相対する。当該立て軸（３３８）の一端は当該解除ボタン（３３６）とネジで接続され、別の一端のピボット軸は当該ノブ（３３３）を貫通して当該栓孔（３３３４）までに伸ばしている。第八図を参照してください。当該解除ボタン（３３６）を押すと、当該立て軸（３３８）が軸方向に当該挿入栓（３１７４）を押し付けて下へ移動させ、当該栓孔（３３３４）から退出させ、当該定位栓（３１７）の当該ノブ（３３３）に対する制御作用を解除することで、当該ストリングクランプ（３８）の定位の調節と変更をさせるものである。
【００２１】
さらに、解除ボタン（３３６）の底部と当該ノブ（３３３）との間には支持スプリング（３３７）が設置されている。当該支持スプリング（３３７）の両端は軸方向にそれぞれ当該ノブ（３３３）と当該解除ボタン（３３６）に接触し、解除ボタン（３３６）の定位を補助するものである。当該ノブ（３３３）の上面には嵌め込みスロット（３３３６）が設けられ、当該解除ボタン（３３６）は当該嵌め込みスロット（３３３６）に嵌め込まれる。当該立て軸（３３８）の底部は拡張してボルトヘッド（３３８２）を形成し、当該ボルトヘッド（３３８２）で挿入栓（３１７４）に接触して押し付けるわけである。
【００２２】
前記したように、当該定位栓（３１７）が当該ノブ（３３３）に対し形成する制御状態を解除し、当該ストリングクランプ（３８）の定位を調節しやすくようにさせるためには、重力で落下した当該ストリングクランプ（３８）が当該円柱（３１７２）を押し付けることで当該定位栓（３１７）を下へ移動させる以外に、直接に当該解除ボタン（３３６）を押すのも、当該立て軸（３３８）を当該挿入栓（３１７４）を押し付けるようにさせることでき、当該定位栓（３１７）の当該ノブ（３３３）対する制御を解除することができる。こうすると、当該ストリングクランプ（３８）はガットの影響で、確実に落下して当該円柱（３１７２）を押し付けることができなくても、当該定位装置（３２）の当該レールブロック（３４）に対する抵抗作用を簡単に解除でき、当該ストリングクランプ（３８）の移動、調節などの操作を簡単に行うことができ、当該ストリングクランプ（３８）の定位解除操作の便利さを効果的にアップするものである。
【図面の簡単な説明】
【００２３】
【図１】本考案のは周知のストリングクランプの定位構造の断面図である。
【図２】本考案の特許文献１の立体図である。
【図３】本考案の特許文献１の立体分解図である。
【図４】本考案の特許文献１の側面からの断面図である。
【図５】本考案の実施例の立体図である。
【図６】本考案の実施例の立体分解図である。
【図７】実施例の側面からの断面図である。
【図８】実施例の定位を解除した状態の側面からの断面図である。
【符号の説明】
【００２４】
１１  本体  
１１１  錐形の穴  
１１２  ノブ穴
１１３  スリーブ  
１１４  スライドスロット  
１２  錐形ブロック
１２１  バンプ  
１２２  ストッパー  
１３  軸台
１３１  軸ロッド  
１３２  偏心部  
１３３  ノッチ
１４  ノブ
１４１  トーションスプリング  
１５  スライドブロック
１５１  ゆるみ止めスクリュー  
１５２  キャップカバー  
１５３  斜面
１９  スライドレール
２１  スライド台  
２１１  シートピラー  
２１１２  カバー部
２１１４  嵌合部  
２１１５  グルーブ  
２１６  ピボット穴
２１７  定位栓
２１７２  円柱  
２１７３  連結部
２１７４  挿入栓  
２１８  プッシュスプリング  
２１９  挿入スロット
２２  定位装置  
２２２  ストッパー  
２３  コントローラー
２３１  ピボット  
２３２  接続台  
２３３  ノブ
２３３４  栓孔  
２３４  トーションスプリング  
２４  レールブロック
２４２  ガイドスロット  
２８  ストリングクランプ
２８２  支軸
３１  スライド台  
３１１  シートピラー  
３１１２  カバー部
３１１４  嵌合部  
３１１５  グルーブ  
３１６  ピボット穴
３１７  定位栓  
３１７２  円柱  
３１７３  連結部
３１７４  挿入栓  
３１８  プッシュスプリング  
３１９  挿入スロット
３２  定位装置  
３３  コントローラー
３３１  ピボット
３３２  接続台  
３３３  ノブ  
３３３４  栓孔
３３３６  嵌め込みスロット  
３３４  トーションスプリング  
３３６  解除ボタン
３３７  支持スプリング
３３８  立て軸  
３３８２  ボルトヘッド
３４  レールブロック  
３４２  ガイドスロット  
３８  ストリングクランプ
３８２  支軸
【図１】
0003134246.tif 000003
【図２】
0003134246.tif 000004
【図３】
0003134246.tif 000005
【図４】
0003134246.tif 000006
【図５】
0003134246.tif 000007
【図６】
0003134246.tif 000008
【図７】
0003134246.tif 000009
【図８】
0003134246.tif 000010